(57)【要約】      （修正有）【課題】主として広告媒体として使用するための新規な表示用風船を提供する。【解決手段】各種の文字形状をそれぞれ個々に模った所要数の風船から成り、当該個々の風船はそれぞれ任意に連結可能とするために、連結用孔を有する連結用片２をその周縁部に突設するように構成する。例えば「いらっしゃい」「こんにちは」「イベントかいじょう」などの案内表示、さらに具体的商品名の表示(漢字表示の商品名は除く)、キャッチコピーの表示を、所要文字の風船を連結することによって、極めて斬新な形態での表示を行うことができる。従って、その表示は看者に対して視覚的に強いインパクトを与え、表示効果の卓越化が図られることとなる。【選択図】図３
0003173425.tif 000002
【実用新案登録請求の範囲】
【請求項１】
各種の文字形状およびハート型のような図形形状をそれぞれ個々に模った所要数の風船から成り、当該個々の風船はそれぞれ任意に連結可能とするように構成した表示用風船。
【請求項２】
各種の文字形状およびハート型のような図形形状をそれぞれ個々に模った所要数の風船から成り、当該個々の風船はそれぞれ任意に連結可能とするために、連結用孔(３)を有する連結用片(２)をその周縁部に突設するように構成した表示用風船。
【請求項３】
各種の文字形状およびハート型のような図形形状をそれぞれ個々に模った所要数の風船から成り、当該個々の風船はそれぞれ任意に連結可能とするために、連結用孔(３)を有する連結用片(２)を、各風船が縦方向、横方向、斜め方向の何れの方向に対しても、互いの連結を可能とするような位置にそれぞれ設けるように構成した表示用風船。
【請求項４】
各種の文字形状およびハート型のような図形形状をそれぞれ個々に模った所要数の風船から成り、当該個々の風船はそれぞれ任意に連結可能とするために、連結用孔(３)を有する連結用片(２)を、各風船が縦方向、横方向、斜め方向の何れかの一方向或いは複数方向に対して、互いの連結を可能とするような形態で設けるように構成した表示用風船。
【請求項５】
連結用片(２)相互の連結を、互いに合致された連結用孔(３)に対して、ピン止め或いは紐止め等、適宜手段で止着するように構成した請求項２乃至請求項４の何れかに記載の表示用風船。
【請求項６】
連結用片(２)相互の連結を、互いに合致された連結用孔(３)に対して有頭差し込みピン(４)を貫通するように挿し込むと共に、その先端に受け片(５)をスナップ的に嵌着させることによって、二つの風船の連結が行われるように構成した請求項２乃至請求項４の何れかに記載の表示用風船。
【請求項７】
風船の形状を「平仮名」を模ったものとして成る請求項１乃至請求項６の何れかに記載の表示用風船。
【請求項８】
風船の形状を「片仮名」を模ったものとして成る請求項１乃至請求項６の何れかに記載の表示用風船。
【請求項９】
風船の形状を「英文字」を模ったものとして成る請求項１乃至請求項６の何れかに記載の表示用風船。
【請求項１０】
風船の形状を「図形形状」を模ったものとして成る請求項１乃至請求項６の何れかに記載の表示用風船。
【考案の詳細な説明】
【技術分野】
【０００１】
本考案は、主として広告媒体として使用するための表示用風船に関する。
【背景技術】
【０００２】
従来、広告媒体として使用する風船としては、人形型を呈するもの（例えば、特許文献１参照。）、或いは，別体の表示を風船の下部等に付設するもの（例えば、特許文献２参照。）、または、風船状の袋体の表面に英文字等の広告表示を施すように構成したもの（例えば、特許文献３参照。）などがある。
【０００３】
【特許文献１】特開２００２ー２８７６７６号公報
【特許文献２】特開２０００ー１０５５６１号公報
【特許文献３】実用新案登録第３０８３６３２号公報
【考案の開示】
【考案が解決しようとする課題】
【０００４】
上述したような従来の風船は、形状においては特許文献２のようにありふれた人形型を呈するに過ぎず、また、表示手段としては特許文献２のように風船下部に表示材を取付けたもの、或いは、特許文献３のように風船状の部分に文字等を大きく表示するという程度のものであった。  従って、風船自体が看者の目を惹くと言うような特性は比較的低く、広告媒体として使用するための風船としては、特段のユニーク性を具えていると決しては称し得ないものである。
【０００５】
本考案は、風船自体の輪郭が、一つの文字の形状を模ったものとし、これを所用の組み合わせ的結合を図ることにより、広告用等の連続的文字表示を、個々の風船の連結に基づいて行わせると言うような、従来には全く無かった独自にして新規な広告形態の実行を可能化させるようにした風船の提供を図ったものである。
【課題を解決するための手段】
【０００６】
本考案は請求項１に記載のように、各種の文字形状およびハート型のような図形形状をそれぞれ個々に模った所要数の風船から成り、当該個々の風船はそれぞれ任意に連結可能とするように構成した表示用風船に係る。
【０００７】
本考案は請求項２に記載のように、各種の文字形状およびハート型のような図形形状をそれぞれ個々に模った所要数の風船から成り、当該個々の風船はそれぞれ任意に連結可能とするために、連結用孔３を有する連結用片２をその周縁部に突設するように構成した表示用風船に係る。
【０００８】
本考案は請求項３に記載のように、各種の文字形状およびハート型のような図形形状をそれぞれ個々に模った所要数の風船から成り、当該個々の風船はそれぞれ任意に連結可能とするために、連結用孔３を有する連結用片２を、各風船が縦方向、横方向、斜め方向の何れの方向に対しても、互いの連結を可能とするような位置にそれぞれ設けるように構成した表示用風船に係る。
【０００９】
本考案は請求項４に記載のように、各種の文字形状およびハート型のような図形形状をそれぞれ個々に模った所要数の風船から成り、当該個々の風船はそれぞれ任意に連結可能とするために、連結用孔３を有する連結用片２を、各風船が縦方向、横方向、斜め方向の何れかの一方向或いは複数方向に対して、互いの連結を可能とするような形態で設けるように構成した表示用風船に係る。
【００１０】
本考案は請求項５に記載のように、連結用片２相互の連結を、互いに合致された連結用孔３に対して、ピン止め或いは紐止め等、適宜手段で止着するように構成した請求項２乃至請求項４の何れかに記載の表示用風船を実施の態様とする。
【００１１】
本考案は請求項６に記載のように、連結用片２相互の連結を、互いに合致された連結用孔３に対して有頭差し込みピン４を貫通するように挿し込むと共に、その先端に受け片５をスナップ的に嵌着させることによって、二つの風船の連結が行われるように構成した請求項２乃至請求項４の何れかに記載の表示用風船を実施の態様とする。
【００１２】
本考案は請求項７に記載のように、風船の形状を「平仮名」を模ったものとして成る請求項１乃至請求項６の何れかに記載の表示用風船を実施の態様とする。
【００１３】
本考案は請求項８に記載のように、風船の形状を「片仮名」を模ったものとして成る請求項１乃至請求項６の何れかに記載の表示用風船を実施の態様とする。
【００１４】
本考案は請求項９に記載のように、風船の形状を「英文字」を模ったものとして成る請求項１乃至請求項６の何れかに記載の表示用風船を実施の態様とする。
【００１５】
本考案は請求項１０に記載のように、風船の形状を「図形形状」を模ったものとして成る請求項１乃至請求項６の何れかに記載の表示用風船を実施の態様とする。
【考案の効果】
【００１６】
本考案は請求項１に記載のような構成、すなわち、各種の文字形状およびハート型のような図形形状をそれぞれ個々に模った所要数の風船から成り、当該個々の風船はそれぞれ任意に連結可能とするように構成したから、所要の言葉、例えば「いらっしゃい」「こんにちは」「イベントかいじょう」などの案内表示、さらに具体的商品名の表示(漢字表示の商品名は除く)、キャッチコピーの表示を、所要文字の風船を連結することによって、極めて斬新な形態での表示を行うことができる。  従って、その表示は看者に対して視覚的に強いインパクトを与え、表示効果の卓越化が図られることとなる。
【００１７】
本考案は請求項２に記載のような構成、すなわち、各種の文字形状およびハート型のような図形形状をそれぞれ個々に模った所要数の風船から成り、当該個々の風船はそれぞれ任意に連結可能とするために、連結用孔３を有する連結用片２をその周縁部に突設するように構成したから、請求項１と同様な作用効果を奏すると同時に、連結用孔３を有する連結用片２の存在に基づき、風船相互の連結が極めて  簡便かつに迅速に行うことができる。
【００１８】
本考案は請求項３に記載のような構成、すなわち、各種の文字形状およびハート型のような図形形状をそれぞれ個々に模った所要数の風船から成り、当該個々の風船はそれぞれ任意に連結可能とするために、連結用孔３を有する連結用片２を、各風船が縦方向、横方向、斜め方向の何れの方向に対しても、互いの連結を可能とするような位置にそれぞれ設けるように構成したから、請求項２と同様な作用効果が奏される。  同時に、連結用片２を、各風船が縦方向、横方向、斜め方向の何れの方向対しても、互いの連結を可能とするような位置にそれぞれ設けるように構成したから、風船による表示形態を、横並び、縦並び、斜め方向の並び、更にはこれらを適宜組み合わせることによって波状の並びと言うように、多種多様な形態での表示目的が達成される。
【００１９】
本考案は請求項４に記載のような構成、すなわち、各種の文字形状およびハート型のような図形形状をそれぞれ個々に模った所要数の風船から成り、当該個々の風船はそれぞれ任意に連結可能とするために、連結用孔３を有する連結用片２を、各風船が縦方向、横方向、斜め方向の何れかの一方向或いは複数方向に対して、互いの連結を可能とするような形態で設けるように構成したから、請求項２で述べたような作用効果を奏することができる。  同時に、連結用片２を、各風船が縦方向、横方向、斜め方向の何れかの一方向或いは複数方向に対して、互いの連結を可能とするような形態で設けるように構成したから、当該連結用片２の形成を目的に応じた部分だけに形成すれば良いため、製造の簡易性が図られると同時に、不要な連結用片の不存在性から風船の周縁部が極めてスッキリとした外観とされる。
【００２０】
本考案は請求項５に記載のような構成、すなわち、連結用片２相互の連結を、互いに合致された連結用孔３に対して、ピン止め或いは紐止め等、適宜手段で止着するように構成することにより、その連結作業の簡易化および迅速化が図られる。
【００２１】
本考案は請求項６に記載のような構成、すなわち、連結用片２相互の連結を、互いに合致された連結用孔３に対して有頭差し込みピン４を貫通するように挿し込むと共に、その先端に受け片５をスナップ的に嵌着させることによって、二つの風船の連結が行われるように構成したから、風船相互の連結が、迅速にして強固かつ確実に達成されることとなる。
【００２２】
本考案は請求項７乃至請求項１０に記載のように構成することにより、風船による表示が「平仮名」、「片仮名」、「英文字」「図形形状」の何れか、またはこれを組み合わせた表示を行うことができるため、本考案による表示形態の多様性が図られる。
【考案を実施するための最良の形態】
【００２３】
本考案は、各種の文字およびハート型のような図形形状をそれぞれ個々に模った形状とした所要数の風船群から成り、当該各風船群は夫夫任意に連結可能とするようにしたことを骨子的構成とする。
【００２４】
図１は個々の風船１として、それぞれ平仮名文字を模った場合の実施例を表したものである。  なお、同図においては例示的に「あ」から「お」までの５文字だけを表してあるが、実際にはすべての平仮名(清音、濁音、半濁音、拗音を含む)を対象とするものである。
【００２５】
そして、各風船１のそれぞれその所要箇所には、相互の連結を行うための連結用片２が突設してあり、当該連結用片２には連結用孔３が穿設してある。  すなわち、膨らませた状態にある所要文字の風船で所要の「言葉」を組合せ、これを構成する風船は、その互いの連結片２を重ね合わせると共にビン止め等の手段で止着することによって、例えば図３に示すように「おいで」というような言葉を連結して展示用表示としての使用に供することができる。
【００２６】
なお、図示の実施例にあっては、連結用片２相互の連結を互いの連結用孔３を合致させると共に、図４および図５に示すように、有頭差し込みピン４を貫通するように挿し込むと共に(図４参照)、その先端に受け片５をスナップ的に嵌着させることによって、二つの風船の連結が行われるように構成してある。  然しながら、このような止着手段は図示のもの以外、例えば割りピン止め、紐止め等、適宜な手段で可とするものである。
【００２７】
また、上記した連結用片２の突設箇所であるが、これは図面に示すように、各風船を縦方向、横方向、斜め方向の何れの方向対しても、互いの連結が可能とするような形態で設けることが好ましい。  然しながら、場合によっては例えば縦方向、または横方向或いは、或いは斜め方向と言うように、何れかの方向に限定さるような連結がなされるような構成、若しくは任意の複数方向への連結がなされるように構成するかは、必要に応じて適宜設定するものとする。
【００２８】
次に、風船１が模る文字種であるが、これは図示のような「平仮名」以外、「片仮名」若しくは「英大文字」、「英小文字」、更には図６に示すような「ハート型図形」或いは「花型図形任意の図形」等任意の図形であってもよい。  すなわち、本考案にあって重要な点は、一つの風船で一つの文字または図形を模らせることにあり、その文字種及び図形に関する制限性は存在しない。  更に、簡単な文字で套的表示の場合は、「漢字」を模した風船を混在せて、或いは漢字だけを用いるような形態で実施する場合もある。
【００２９】
本考案に係る風船は、所要の文字または図形の外観を具えた風船を組合せ連結することにより、商品名の表示、キャッチコピー、案内表示等を行うものである。  そして、風船内への封入ガスは、空気のように浮力が生じないガスの場合は図３に示すように吊り下げて展示し、水素ガスまたはヘリウムガスのように浮力が生じるガスを入れた場合は、下から吊り上げるような形態で展示し、また、この場合、空中に放つような形態での使用も可能である。
【図面の簡単な説明】
【００３０】
【図１】本考案に係る風船の一部の種類形態を表した正面図である。
【図２】図１におけるX部分の拡大図である。
【図３】本考案に係る風船の使用例を表した正面図である。
【図４】本考案に係る風船の連結直前状態を表した底面図である。
【図５】本考案に係る風船の連結完了状態を表した底面図である。
【図６】本考案に係る風船の図形形態の一例を表した正面図である。
【符号の説明】
【００３１】
１  風船
２  連結用片
３  連結用孔
４  有頭差し込みピン
５  受け片
【図１】
0003173425.tif 000003
【図２】
0003173425.tif 000004
【図３】
0003173425.tif 000005
【図４】
0003173425.tif 000006
【図５】
0003173425.tif 000007
【図６】
0003173425.tif 000008